(57)【要約】【課題】布基礎の上面に土台を固定するアンカーボルトを外して、土台を基礎に対し自由に動くようにすると、土台の横ゆれで、布基礎の上面から土台がずれ出したときに生ずる布基礎上面からの土台の外れの問題と、土台と基礎の間に設ける、土台の横移動を許容する状態において土台の荷重を支える支承部材の構成をむずかしくしている問題とを解消せしめる。【解決手段】木造家屋において、布基礎を、基礎と別体の鉄製の束柱状に形成し、この基礎と別体の束柱状の布基礎の上端側を、土台の下面側に連結固着し、下端側には、周面の弯曲する曲率を大きくした大径の半球状の鋼球を、それの曲面側が下方に向け突出する姿勢として固定装着し、基礎の上面で、前記鉄製の束柱状の布基礎を設置する部位に、前記布基礎の底面の半球状の鋼球を支承さすステンレス鋼板を設置し、土台と基礎との間に、土台を当初の設定位置に復元させる戻しばねを配設した。【選択図】図４
2010156166.tif 000002
【特許請求の範囲】
【請求項１】
土台（１）を、敷地に敷設せる鉄筋コンクリートよりなる基礎（ｃ）に立設する布基礎（ｄ）の上面に載架し、その土台（１）の上に軸組みして建物構造体（Ａ）を構築する木造家屋において、布基礎（ｄ）を、基礎（ｃ）と別体の鉄製の束柱状に形成し、この基礎（ｃ）と別体の束柱状の布基礎（ｄ）の上端側を、土台（１）の下面側に連結固着し、下端側には、周面の弯曲する曲率を大きくした大径の半球状の鋼球（６）を、それの曲面側が下方に向け突出する姿勢として固定装着し、基礎（ｃ）の上面で、前記鉄製の束柱状の布基礎（ｄ）を設置する部位に、前記布基礎（ｄ）の底面の半球状の鋼球（６）を支承さすステンレス鋼板（５）を設置し、土台（１）と基礎（ｃ）との間に、土台（１）を当初の設定位置に復元させる戻しばね（９）を配設したことを特徴とする木造建物構造体の免震構造。
【請求項２】
土台（１）の下面に組み付ける鉄製の束柱状の布基礎（ｄ）の近側位置に配位して、土台（１）と基礎（ｃ）の間に設ける戻しばね（９）を、平面視において、前記束柱状の布基礎（ｄ）を挟むように配して土台（１）に組み付ける火打梁（１１）と基礎（ｃ）との間に渡架するよう設けたことを特徴とする請求項１記載の木造建物構造体の免震構造。
【請求項３】
基礎（ｃ）と別体の鉄製の束柱状の形成して土台（１）の下面に連結固着する布基礎（ｄ）の、下端部の下方位置に配位して基礎（ｃ）の上面に設置するステンレス鋼板（５）をそれの上面が、周縁部から中心部に向けてゆるやかな曲率の円弧面となってへこみ込む浅い凹面をなす形状に形成し、かつ、凹面とした上面の最も深く下降する凹面の中心部位が、前記布基礎（ｄ）の下端側に装着せる大径の半球状の鋼球（６）の突出端の下方に位置するように配置して基礎（ｃ）の上面に設置したことを特徴とする請求項１記載の木造建物構造体の免震構造。
【発明の詳細な説明】
【技術分野】
【０００１】
本発明は、主として木造の家屋を対象とする木造建物構造体についての免震装置に関するものである。
【背景技術】
【０００２】
木造の家屋などの木造建物構造体についての免震手段は、複雑でしかも建物構造体に組み付けるのが面倒な特殊な構造の機構・仕組みを用いて行っている。
【０００３】
これは、木造家屋の建造が、通常、図１・図２に示しているように、建造しようとする敷地に、まず砕石ａを敷き詰め、それの上に、型枠内に鉄筋ｂを配筋してコンクリートを流し込んで成形する鉄筋コンクリートの基礎ｃを敷設し、これの上に、鉄筋コンクリートの布基礎ｄを、略家屋の床下寸法に対応する高さに立設し、この布基礎ｄの上面に、角材よりなる木材の土台１を載架し、この土台１を、予め布基礎ｄのコンクリート内に一体的に埋設して上端側を布基礎ｄの上面から突出させておくアンカーボルト２に挿通させて、ナット２０に締着することで、布基礎ｄの上に固定し、この土台１の上面に、柱３を建て、軸組みして木造家屋の建物構造体を構築するようにしていることから、これに、免震構造を組み付けるには、まず、土台１を、基礎ｃと一体の布基礎ｄの上面に固定しているアンカーボルトを取り除いて、土台１が基礎ｃに対し自由に動くようにしておくこと、この自由に動く土台１と基礎ｃとの間に、土台１の横方向の動きを許容した状態で、土台１を支承する積層したバネ板等の支承台を設けること、そして、この土台１の横方向の動きを、土台１が布基礎ｄの上面から外れて脱出することの無い範囲に規制する規制手段を設けること、さらに、布基礎ｄに対し横方向に動いた土台１を旧の当初の設定位置に復元させるための戻しばねを、土台１と布基礎ｄまたは基礎ｃとの間に張設すること、の条件を満たすものとして構成しなければならないことで、免震構造を特殊な構造の仕組みに構成することによる。
【０００４】
このように、木造家屋の建物構造体に組み付け施工する免震構造は、木造の建物構造体が、地震の際のゆれに応じて横方向に動くようにするために、その建物構造体の底面を形成する土台１を、布基礎ｄの上面に固定しているアンカーボルト２を外して、土台１の布基礎ｄに対する固定を解放した状態としておいて、この土台１と布基礎ｄまたは基礎ｃとの間に組み付けることから、地震のゆれで土台１が横方向に動いたときに、その土台１が布基礎ｄの上面から外れて復元が不能になることのないよう横移動の範囲を規制するが、この規制がむずかしい問題がある。図面につき具体的に云えば、図１、図２に示している建物構造体Ａの外周側に位置する土台１の角材の底面１０が、図１において矢印に示している方向に動いて、布基礎ｄの上面から、外にずり出てくると、その底面１０の全部が布基礎ｄの上面からそっくり外れるまでに至らなくても、建物構造体Ａを支承するバランスの狂いで、その重量により、建物構造体Ａの全体が動き出すことで、土台１が布基礎ｄの上面から滑り出して外れるようになる。このため、この滑り出しを阻止するよう、土台１の布基礎ｄに対する可動範囲を狭く設定すると、地震のゆれの振巾を吸収できないようになってくる、という問題がでてくる。
【０００５】
また、土台１を布基礎ｄの上面に対し横方向の動きが自由になるように載架することで、この布基礎ｄの上面と土台１の底面との間には、横移動を可能にした状態において土台１を支承する支承部材を、バネ板を多層に積層して構成するか、多数の鋼球を転動可能に並列させてベアリング状に構成するかして、介装することが必要となるが、このようにすると、布基礎ｄの上面に対する土台１のずれが大きくなったときに、支承部材が横にはみ出して、機能しない状態になる問題がでてくる。また、支承部材を多数の小径のボール状の鋼球を並列させて構成したときは、小径の鋼球が土台１または布基礎ｄの支承面に刺さり込むようになったり、潰れたりすることで、転動せず、土台１の動きを阻止するようになる問題がでてくる。
【発明の開示】
【発明が解決しようとする課題】
【０００６】
本発明において解決しようとする課題は、免震構造の組み付けのために、布基礎ｄの上面に土台１を固定するアンカーボルト２を外して、土台１を基礎ｃに対し自由に動くようにすると、土台１の横ゆれで、布基礎ｄの上面から土台１がずれ出したときに生ずる布基礎ｄ上面からの土台１の外れの問題と、土台１と基礎ｃの間に設ける、土台１の横移動を許容する状態において土台１の荷重を支える支承部材の構成をむずかしくしている問題とを解消せしめることにある。
【課題を解決するための手段】
【０００７】
本発明手段は、上述の課題を解決するために、種々の試行と検討を重ねて得られた知見に基づいてなされたものである。
【０００８】
即ち、土台１の底面が布基礎ｄの上面から外れるようになる問題は、布基礎ｄが基礎ｃと一体に構築されるものとして、土台１を布基礎ｄの上面から取り外すことで、基礎ｃに対し自由に動くようにしているから生じているものであり、布基礎ｄを基礎ｃから離して別体に形成し、その布基礎ｄの上端側を土台１の底面に一体的に組み付けるようにすれば、解決できること、土台１の荷重を支承する状態で土台１の横移動が自由に行われるように設ける支承部材が、土台１の横ゆれの振巾が少し大きくなると、飛び出してきたりこわれたりするようになるのは、この支承部材を、狭く限られている布基礎ｄの上面と土台１の底面との間に設けているからであり、広い基礎ｃの上面と土台１との間に介装すれば解決し得ること、支承部材を、自在に転動する鋼球を用いてベアリング状に構成する際、鋼球の径を大きくして、周面の曲率を大きくすることで、潰れと、刺さり込みを抑止すると、鋼球を回転自在に支持することがむずかしくなるが、このとき、鋼球に当接さす台面を、平らな滑面にしておくと、鋼球が滑って移動し、転動と同様に機能するものとなること、の知見が得られたことによるものである。
【０００９】
そして、このことから、本発明においては、上述の課題を解決するための手段として、土台１を、敷地に敷設せる鉄筋コンクリートよりなる基礎ｃの上に立設する布基礎ｄの上面に載架し、その土台１の上に軸組みして建物構造体Ａを構築する木造家屋において、布基礎ｄを、基礎ｃと別体の鉄製の束柱状に形成し、この基礎ｃと別体の束柱状の布基礎ｄの上端側を、土台１の下面側に連結固着し、下端側には、周面の弯曲する曲率を大きくした大径の半球状の鋼球６を、それの曲面側が下方に向け突出する姿勢として固定装着し、基礎ｃの上面で、前記鉄製の束柱状の布基礎ｄを設置する部位に、前記布基礎ｄの底面の半球状の鋼球６を支承さすステンレス鋼板５を設置し、土台１と基礎ｃとの間に、土台１を当初の設定位置に復元させる戻しばね９を配設したことを特徴とする木造建物構造体の免震構造を提起するものである。
【発明の効果】
【００１０】
本発明手段による免震構造は、建物構造体の底部枠を構成する土台１を載架せしめる布基礎ｄが、基礎ｃとは別体の鋼材よりなる束柱状に形成してあって、それの上端側を、土台１の下面側に組み付けることで、土台１に一体的に結合してあり、かつ、下端側の底面に、大径の下向きの半球状に形成した鋼球６をそれの曲面側が下方に向け突出する姿勢として取り付けて、この半球状の鋼球６の突出頂部を、基礎ｃの上面側に設置せる平盤状のステンレス鋼板５の略中心部位に突き当てて、ステンレス鋼板５を介して基礎ｃに支承させてあるのだから、建物構造体は、鉄柱に形成した布基礎ｄに支持された状態において、束柱状の布基礎ｄの下面の半球状の鋼球６の突出頂部が、それと衝合する基礎ｃ上面に設置した平盤状のステンレス鋼板５の上面を、滑りにより変位することで、水平な方向における全方向に自由に動くようになる。
【００１１】
そして、建物構造体Ａの底部枠である土台１と基礎ｃとの間には、鉄柱に形成した布基礎ｄの底面に設けた半球状の鋼球６の突出頂部が基礎ｃの上面に設置した平盤状のステンレス鋼板５の上面を滑って、そのステンレス鋼板５の上面に対する衝合部位を変動させたときに、その衝合部位が、当初に設定した位置に戻るように、戻しばね９を設けているのだから、地震の際の地ゆれで、地面と共に基礎ｃが横方向に動いたときに、建物構造体Ａを支承する束柱状の鉄柱とした布基礎ｄが、建物構造体Ａを支承した状態でステンレス鋼板５の上面を滑動することで、建物構造体Ａに加えられる応力を吸収するようになって、免震効果を奏する。
【００１２】
そして、この建物構造体Ａの、基礎ｃに対する水平な方向の全方向の動きを許容する仕組みが、基礎ｃとは別体の束柱状に形成した布基礎ｄの上端側を、土台１の下面側に束柱状に組み付け連結して、下端側を半球状の鋼球を介し基礎ｃ上面に固定設置せるステンレス鋼板５に滑動自在に衝合させることだけで構成し、バネ板を積層した支持台を省略した構成としているのだから、建物構造体Ａに対する仕組みの組み付けが著しく簡略なものとなる。
【００１３】
また、鉄製の束柱状に形成した布基礎ｄの上端側を土台１の下面に一体的に組み付けることから、土台１の下面が布基礎ｄの上面から脱出するのを確実に防止するようになる。
【００１４】
また、建物構造体Ａの地ゆれによる基礎ｃに対する動きが、土台１下面に連結した鉄製の束柱状の布基礎ｄの底面に設けた半球状の鋼球６と、基礎ｃの上面に固定設置したステンレス鋼板５との間における、半球状の鋼球６のステンレス鋼板５に対する滑りによる変位によって行われるので、この動きの範囲を規制するのが、ステンレス鋼板５の周辺部位に、半球状の鋼球６の周壁面と突当たって、その鋼球６のステンレス鋼板５の上面を滑動していく範囲を規制する囲い枠状の衝合壁を、ステンレス鋼板５の周辺部の折り曲げ、または、ステンレス鋼板５を組み付け保持する保持部材に形成しておく組付枠によって簡単に得られる。
【００１５】
また、地ゆれにより基礎ｃに対して横方向に動くのが、鉄柱状の布基礎ｄと、これの上端側に組み付け載架した建物構造体Ａだけで、土台１と基礎ｃとの間に、ばね板を積層した支持台を介装しておく従前手段におけるバネ板のように、建物構造体と一緒に動く部材がないので、地ゆれで動いた建物構造体Ａを旧の位置に戻す戻しばね９を、建物構造体Ａと基礎ｃとの間に設ければよく、この戻しばね９による建物構造体Ａの戻しを確実なものとする。
【００１６】
また、鉄製の束柱状に形成して土台１の下面に装着する布基礎ｄの下端に装着してある大径の半球状の鋼球６と衝合して、これを支承するよう基礎ｃの上面に設置しておくステンレス鋼板５の上面を、周縁部から中心部に向けて、ゆるやかな曲率をもってへこみこむ凹面形状に形成しておくときは、土台１の基礎ｃに対する横ゆれで、布基礎ｄの下端の半球状の鋼球６がステンレス鋼板５の上面を滑って移動したときに、土台１の重量荷重により、その半球状の鋼球６が、ステンレス鋼板５の凹面の傾斜面を、最も深くなる凹面の中心部に向けて滑り落ちていくようになるので、ゆれによる移動の戻りが、戻しばね９の作用に併せて、半球状の鋼球６が受ける建物構造体Ａの重量荷重による横移動で行われるようになって、戻り作動を円滑にする。
【発明を実施するための最良の形態】
【００１７】
次に本発明手段の実施の態様を、実施例につき図面に従い詳述する。
【実施例１】
【００１８】
まず、木造家屋の建物構造体を構築しようとする敷地の地面ＧＬに、図３・図４に示しているように砕石ａを敷き詰め、その上に、型枠を設置し、その型枠の内側に鉄筋ｂを配設してコンクリートを流し込み、鉄筋コンクリートの基礎ｃを敷設する。この基礎ｃは、図１、図２に示した従前手段における例の如く、布基礎ｄを敷設する位置に条列状に構成して敷設してもよいが、この例においては、図３に示しているように、敷地の地面ＧＬに、一枚の盤状に敷き詰めたベタ基礎ｃとして敷設してある。
【００１９】
この基礎ｃは、従前の通常手段においては、上面の布基礎ｄを構築する部位に、鉄筋とする鋼材を立ち上げ配設しておいて、これに型枠を組み合わせてコンクリートを流し、鉄筋コンクリートの布基礎ｄを一体に連続させて敷設するようにするが、本発明手段においては、上面側には、布基礎の構築用の鉄筋を配設せず、上面を平らな平盤状に仕上げてある。
【００２０】
そして、この平盤状に敷設した基礎ｃの上面には、保持枠４に保持せしめたステンレス鋼板５を、所定の位置に配設する。ステンレス鋼板５は、厚手の鋼板に防錆処理を施した硬い金属板で、差し渡し寸法が、木造の建物構造体Ａに用いられる柱材３の直径の略２倍程度となる広さの略方形の金属板であり、図７、図８に示しているように、角盤状に形成した保持枠４の上面側に平板状に組み付け保持せしめてある。
【００２１】
ステンレス鋼板５の保持枠４は、図７及び図８にあるよう、鋼材よりなる平箱状の外枠４０の内部に、該外枠４０の上面の開放口の周縁部を縁枠状に残す深さにコンクリートを流し込んで、角盤状に形成したもので、流し込んで盤状に成形したコンクリートの上面に、方形に板どりしたステンレス鋼板５を載置し、それの四辺の外周側を外枠４０の内壁面に嵌め込んで固定し、該ステンレス鋼板５の四隅にそれぞれ形設しておいたネジ穴に、止着ネジ４１を挿通し、コンクリートに予め埋設しておく雌ネジに螺合して締結することで、ステンレス鋼板５を組み付け保持せしめてある。
【００２２】
この保持枠４は、それの外周側に形設しておく取付座（図示省略）を、基礎ｃの上面側にボルト締めにより締結することで、基礎ｃに対し一体的に組み付け設置するようにしてよいが、この例においては、保持せしめたステンレス鋼板５の上面の高さ位置の変更調整を可能とするために、該保持枠４の底面側には、回転により突出長さが変動する支脚４２がネジ嵌合により取り付けてある。
【００２３】
この保持枠４は、保持するステンレス鋼板５を、基礎ｃの上面の所定位置に設置するためのもので、そのステンレス鋼板５は、鋼材により基礎ｃとは別体の、束柱状の鉄柱の形態に成形して、建物構造体Ａの底部の土台１の下面に組み付け連結する布基礎ｄの底面に設ける半球状の鋼球６を支承させるためのものであるから、この束柱状の鉄柱に形成した布基礎ｄを組み付け連結する位置に対応させて設ける。
【００２４】
基礎ｃの上に構築する木造の建物構造体Ａの構成が、例えば、図５の土台伏図に示しているように、土台１上に柱３を立設して構成しているとすると、その土台１の下面側で立設した柱３の下方に位置する個所に、図６に示しているようにそれぞれ配位して、基礎ｃの上面に設置する。
【００２５】
このように配置したステンレス鋼板５の上には、鋼板により四角な筒体７に成形し上端側には天板７０を設け下端側には底板７１を設けて鉄製の束柱状に組み立てた布基礎ｄをそれぞれ配設する。
【００２６】
この鉄製の束柱状に組み立てた布基礎ｄは、それの上端側には、土台１の下面に組み付け連結するための組付座８が形設され、下端の底面には、鋼材により、直径が前記鉄柱の径に略対応する大径の半球状の鋼球６が、それの球面側を下方に向けて突出させた姿勢として取り付けられる。
【００２７】
鉄製の束柱状としたこの布基礎ｄの上端側に装設しておく組付座８は、土台１の、布基礎ｄを組み付け連結しようとする部位の形状に適わせた形状に成形しておく。
【００２８】
布基礎ｄが、土台１の角材の長手方向の中間部位に立設した柱３の下方、または、その柱３の下方から少し偏位した部位に、組み付け連結するものであるときは、その組付座８は、図９〜図１０に示しているように、鉄製の筒体７の上端に設けた天板７０の辺縁から土台１を挟むように立ち上がって、一対に対向する組付座板８０を具備する形状のものに形成する。また、土台１の隅部に立設する柱３の下方に組み付ける布基礎ｄにあっては、図１２〜図１４に示しているように、天板７０の出隅部分の両辺から平面視でＬ形に立ち上がる組付座板８０と、入隅部分に、平面視で小さいＬ字形に立ち上がる組付座板８０を具備する形状に形成する。また、土台１の角材が十字にクロスする部位に立設せる柱３の下方に組み付ける布基礎ｄにあっては、図１５〜図１７に示しているように、天板７０の四隅部に、平面視で入隅状に立ち上がる組付座板８０を具備する形状に形成する。また、土台１の角材がＴ字状に突き当たる部位に立設せる柱３の下方に組み付ける布基礎ｄにあっては、図１８〜図２０にあるように、天板７０の四辺のうちの、土台１の角材の壁面に沿う辺縁から立ち上がる組付座板８０と、これと反対側の辺縁の両隅部に、土台１の前記角材に突き当たる角材の両壁面に沿い立ち上がる平面視で小さいＬ字形の組付座板８０を具備する形状に形成する。また、この組付座８の天板７０の下面側には、組付座８を補強する補強リブ７２が設けられる。
【００２９】
束柱状の鉄柱の形態に形成する布基礎ｄの本体の底面側に設ける大径の半球状の鋼球６は、その鉄柱の形態とした布基礎ｄの本体７の下端に組み付ける底板７１の外面側に取り付けるが、その底板７１を布基礎ｄに組み付ける前に、底板７１の下面側に、半球状の鋼球６の平面側を当接して図２２に示しているように、底板７１の上面側からねじ込むネジ７３により連結するか、図２１に示しているように、接合した半球状の鋼球６の周縁部と底板７１とを溶接７４により、一体的に連結して取り付け、この底板７１を鉄柱状とした布基礎ｄの本体の筒体７に対し、熔接７５により連結固着することで、布基礎ｄの底面に装備せしめている。
【００３０】
このように構成した束柱状の鉄柱の形態の布基礎ｄは、軸組みした土台１の下面で、土台１上に立設する柱３の下方となる部位に、上端側に設けた組付座８により組み付け連結する。これにより、土台１は、下面に設けた束柱状の鉄柱の形態とした多数の布基礎ｄ上に組み付け載架された状態となり、各束柱状の布基礎ｄの底面に設けた大径の半球状の鋼球６のゆるやかな球面の下端部が、基礎ｃの上面に設置せるステンレス鋼板５の、かたく、滑らかな上面に衝合することで、その衝合部位により基礎ｃの上面に支承されるようになる。
【００３１】
そして、土台１が横方向の荷重を受けたときには、束柱状の鉄柱の形態とした布基礎ｄの底面の半球状の鋼球６が、ステンレス鋼板５の上面を滑って変位することで、土台１の全体を横方向に可動なものとする。
【００３２】
９は、土台１が、それの下面側に一体的に組み付けた鉄製の束柱状に形成せる布基礎ｄの底面に設けた大径の半球状の鋼球６の基礎ｃ上面に設置せるステンレス鋼板５上面に対する滑りにより変位したときに、当初の設定位置に戻すように、土台１と基礎ｃとの間に張設せる戻しばねであり、図６に示しているように、土台１の下面に鉄製の束柱状の布基礎ｄを組み付けた部位の近側位置に配位して装設してある。
【００３３】
この戻しばね９は、太い鋼線９０をコイル状に成形し、それを、弾性を有するゴムまたは樹脂の被覆材９１によりインサート成形して、直立する円筒状に形成し、それの上端側と下端側とに取付台９２・９３をそれぞれ装設して構成したもので、それの下方の取付台９２を基礎ｃの上面に取付ボルトにより固着し、上方の取付台９３を、火打梁１１の下面に取付ボルトにより固着することで、装設したものである。
【００３４】
この戻しばね９は、土台１が横に動いたときに、伸び出して、それの復元力で土台１の動きを戻すようにする通常のコイルバネを、多数本並列させて張設することでよいものであるが、この例においては、太い鋼線９０をコイル状に巻いて筒状に成形したものを用い、土台１の横ゆれにより弾性的に湾曲し、それの直立状態への復元力で土台１を戻すようにしている。
【実施例２】
【００３５】
図２３、図２４は、別の実施例を示す。この例は、土台１の隅部、または、Ｔ字形に組み立てられた部位における柱３下方に鉄製の束柱状の布基礎ｄが設けられ、その近側位置に、戻しばね９を配位して装設するときに、その戻しばね９を土台１に組み付ける火打梁１１と基礎ｃとの間に装設している例であり、その余の構成については、前述の実施例のものと変わりがないものである。
【００３６】
この実施例は、建物構造体Ａの横方向の動きを旧の位置に復元させるための戻しばね９が、建物構造体Ａに加わる前後方向と左右方向の応力を合成した方向に作用するようになるので、ばねの復元力による旧の位置への戻しを効率的にする。
【実施例３】
【００３７】
次に図２５・図２６は、さらに別の実施例を示している。この例は、基礎ｃの上面に設置しておくステンレス鋼板５の上面を、布基礎ｄの下端に設ける大径の半球状の鋼球６の周面の曲率よりもさらにゆるやかな曲率で、周縁部から中心部に向けて凹み込む凹面に形成しておいて、これに衝合する布基礎ｄの下端の半球状の鋼球６が、支承する建物構造体Ａの重量荷重で、ステンレス鋼板５の上面の最も深く凹んだ中心部位に向け滑って移動していくようにしている例である。
【００３８】
この例においては、ステンレス鋼板５は、予め、上面が、布基礎ｄの下端に固定装着した大径の半球状の鋼球６の周面の曲率よりもゆるやかな曲率とした円弧面をもって凹み込む凹面をなす形状に成形しておき、これを、鋼板よりなる保持枠４内に流し込んだコンクリート５０の上に載せ、４隅部に設けておくネジ穴にネジ４１を挿通し、流し込むコンクリート５０に埋設しておく雌ネジ４３に螺合して保持枠４に一体的に組み付け、保持枠４を基礎ｃの上面の所定位置に据え付けることで、基礎ｃ上面に設置するようにしている。
【００３９】
そして、保持枠４を所定位置に配位して設置するとき、半球状の凹面としたステンレス鋼板５の最も深く凹み込む中心部位に、土台１の下面に連結した鉄製の束柱状の布基礎ｄの下端の半球状の鋼球６の周面の最も突出している先端側の頂部が対向してくるように、位置決めして据え付ける。
【００４０】
これにより、土台１が横ゆれで横に動き、布基礎ｄ下端の半球状の鋼球６が、ステンレス鋼板５の上面を滑って変位したとき、その鋼球６がステンレス鋼板５の凹面の傾斜により、中心部に向けて滑り落ちて戻るようになることで、戻しばね９による変位の戻りを円滑にする。
【産業上の利用可能性】
【００４１】
本発明手段は、建物構造体が、床の底面を、鉄製の束柱状の布基礎で支承して、基礎の上面に構築し得る構造になっているものであれば、鉄骨鋼材で軸組みした建物にも、そのまま適用させて実施できるものである。
【図面の簡単な説明】
【００４２】
【図１】従前の木造家屋の建物構造体の要部の縦断正面図である。
【図２】同上建物構造体の要部の縦断側面図である。
【図３】同上の地面に敷設した基礎の部分の平面図である。
【図４】本発明手段を実施せる木造家屋の建物構造体の要部の縦断正面図である。
【図５】同上の基礎の上面に軸組みした土台の伏図である。
【図６】同上の基礎の上面に設置したステンレス鋼板の配設位置を示す平面図である。
【図７】同上の基礎の上面に設置するステンレス鋼板を保持する保持枠の一部破断した斜視図である。
【図８】同上保持枠の下面側から見た斜視図である。
【図９】本発明手段に用いる鉄製の束柱状の布基礎の斜視図である。
【図１０】同上布基礎の平面図である。
【図１１】同上布基礎の上端面に設けられる組付座の下面図である。
【図１２】同上布基礎の上面の組付座をＬ型としたものの斜視図である。
【図１３】同上布基礎の上面の組付座の平面図である。
【図１４】同上布基礎の組付座の下面図である。
【図１５】同上布基礎の組付座を十字型とした形態のものの斜視図である。
【図１６】同上布基礎の組付座の平面図である。
【図１７】同上布基礎の組付座の下面図である。
【図１８】同上布基礎の上面の組付座をＴ字型とした形態のものの斜視図である。
【図１９】同上布基礎の組付座の平面図である。
【図２０】同上布基礎の組付座の下面図である。
【図２１】道場布基礎の半球状の鋼球を組み付けた下端部の縦断正面図である。
【図２２】同上布基礎の下端に取り付ける半球状の鋼球の、取付手段を示す説明図である。
【図２３】別の実施例の要部の一部破断した正面図である。
【図２４】同上実施例の要部の一部破断した平面図である。
【図２５】さらに別の実施例の要部の一部破断した斜視図である。
【図２６】同上実施例のステンレス鋼板及び保持枠の縦断した正面図である。
【符号の説明】
【００４３】
Ａ    建物構造体
ＧＬ  地面
ａ    砕石
ｂ    鉄筋
ｃ    基礎
ｄ    布基礎
１    土台
１０    底面
１１    火打梁
２    アンカーボルト
２０    ナット
３    柱
４    保持枠
４０    外枠
４１    止着ネジ
４２    支脚
４３    雌ネジ
５    ステンレス鋼板
５０    コンクリート
６    鋼球
７    筒体
７０    天板
７１    底板
７２    補強リブ
７３    ネジ
７４  ７５    溶接
８    組付座
８０    組付座板
９    戻しばね
９０    鋼線
９１    被覆材
９２  ９３    取付台
【図１】
2010156166.tif 000003
【図２】
2010156166.tif 000004
【図３】
2010156166.tif 000005
【図４】
2010156166.tif 000006
【図５】
2010156166.tif 000007
【図６】
2010156166.tif 000008
【図７】
2010156166.tif 000009
【図８】
2010156166.tif 000010
【図９】
2010156166.tif 000011
【図１０】
2010156166.tif 000012
【図１１】
2010156166.tif 000013
【図１２】
2010156166.tif 000014
【図１３】
2010156166.tif 000015
【図１４】
2010156166.tif 000016
【図１５】
2010156166.tif 000017
【図１６】
2010156166.tif 000018
【図１７】
2010156166.tif 000019
【図１８】
2010156166.tif 000020
【図１９】
2010156166.tif 000021
【図２０】
2010156166.tif 000022
【図２１】
2010156166.tif 000023
【図２２】
2010156166.tif 000024
【図２３】
2010156166.tif 000025
【図２４】
2010156166.tif 000026
【図２５】
2010156166.tif 000027
【図２６】
2010156166.tif 000028